(57)【要約】      （修正有）【課題】使用時の外観上の体裁が良好でエコロジーに適したカレンダを提供する。【解決手段】複数の紙片１Ａを束ねてその上端面１ａを糊付けすることによりカレンダ本体１が形成され、カレンダ本体１の上端部を結束するバインダ７が、該カレンダ本体１の裏面に対向する裏紙部７ａと、そのカレンダ本体１の表面に対向する表紙部７ｂと、その表裏両紙部７ａ，７ｂどうしを一体連結する連結紙部７ｃと、表紙部７ｂに一体延長されて該表紙部７ｂの裏面側に折り重ねた重合紙部７ｄとからなる側面視略コ字状の厚手紙により形成され、前記重合紙部７ｄとカレンダ本体１の上端部とがワイヤ１６で結束され、裏紙部７ａが接着剤９によりカレンダ本体１の上端部裏面に接着され、カレンダ本体１の上端面１ａとバインダ７の連結紙部７ｃとの間の紐通し穴１０に吊り紐２が挿通されている。【選択図】図２
0003110477.tif 000002
【実用新案登録請求の範囲】
【請求項１】
複数の紙片を束ねてその上端面を糊付けすることによりカレンダ本体が形成され、該カレンダ本体の上端部がバインダで結束され、そのカレンダ本体の上端部に吊り紐が取り付けられたカレンダにおいて、前記バインダが、カレンダ本体の裏面に対向する裏紙部と、該カレンダ本体の表面に対向する表紙部と、その表裏両紙部どうしを一体連結する連結紙部と、表紙部に一体延長されて該表紙部の裏面側に折り重ねた重合紙部とからなる側面視略コ字状の厚手紙により形成され、前記重合紙部とカレンダ本体の上端部とがワイヤで結束され、裏紙部が接着剤によりカレンダ本体の上端部裏面に接着されてなるカレンダ。
【請求項２】
前記カレンダ本体の上端面と紙製バインダの連結紙部との間に紐通し穴が形成され、その紐通し穴に吊り紐が挿通されてなる請求項１に記載のカレンダ。
【考案の詳細な説明】
【技術分野】
【０００１】
本考案は、使用時の外観上の体裁が良好でエコロジーに適したカレンダに関する。
【背景技術】
【０００２】
従来、カレンダの一例として図６及び図７に示すものがある。これは、例えば１月〜１２月と表裏両紙の合計１４枚の紙片１Ａを束ねてその上端面１ａを糊付けすることによりカレンダ本体１が形成され、吊り紐２の両端を適当な紙片１Ａ間の上端部に差し込んで糊付けし、略Ｕ字状に弯曲させた金属製バインダ３をカレンダ本体１の上端部に被せ（図７仮想線参照）、該バインダ３を二つ折りして重合させたものである（図７実線参照）。
【０００３】
使用手順を説明すると、図６及び図８（ａ）に示すように、壁面４に取り付けたフック５に吊り紐２を引っ掛けることにより、カレンダ本体１を壁面４に沿って吊り下げ、紙片１Ａを１枚ずつ引き上げてバインダ３を芯にして後側に巻き取り吊り紐２の間を通ってカレンダ本体１と壁面４との間に差し込む〔図８（ｂ）参照〕。
【考案の開示】
【考案が解決しようとする課題】
【０００４】
上記従来の構成では、バインダ３を二つ折りして重合させており、その厚さｔ（図７参照）が元の厚さの２倍になっているので、図８（ｂ）及び図９に示すように、バインダ３を芯にして巻き取った紙片１Ａの半径ｒが大きくなり、その半径ｒと巻き取った紙片１Ａの重みによる引張力ｆとの積である回転モーメントＭが大きくなる。従って、例えば吊り紐２に指部が接触してカレンダ本体１に振動が加わるなどして、壁面４からカレンダ本体１が離れてその両者間の摩擦抵抗が小さくなると、図８（ｃ）に示すように、回転モーメントＭによりバインダ３が半径ｒの中心点回りで引っ繰り返ることがあり、これでは外観上の体裁が極めて悪くなる。
【０００５】
また、使用済みのカレンダを処分する場合、分別回収のために、カレンダ本体１と金属製バインダ３とを分離しなければならないが、バインダ３がカレンダ本体１の上端部に強固に嵌合しているので、そのバインダ３をカレンダ本体１から分離することが極めて困難であり、その分離を行わずにバインダ３付きのカレンダ本体１を例えば焼却したり埋めるなどの処分をすると、公害問題となり、エコロジーに反することになる。
【０００６】
本考案は、上記従来の欠点に鑑み、使用時の外観上の体裁が良好でエコロジーに適したカレンダを提供することを目的としている。
【課題を解決するための手段】
【０００７】
上記目的を達成するための構成を実施の形態に対応する図面に基づいて説明すると、請求項１に記載の考案は、図１〜図５に示すように、複数の紙片１Ａを束ねてその上端面１ａを糊付けすることによりカレンダ本体１が形成され、該カレンダ本体１の上端部がバインダ７で結束され、そのカレンダ本体１の上端部に吊り紐２が取り付けられたカレンダにおいて、前記バインダ７が、カレンダ本体１の裏面に対向する裏紙部７ａと、該カレンダ本体１の表面に対向する表紙部７ｂと、その表裏両紙部どうしを一体連結する連結紙部７ｃと、表紙部７ｂに一体延長されて該表紙部７ｂの裏面側に折り重ねた重合紙部７ｄとからなる側面視略コ字状の厚手紙により形成され、前記重合紙部７ｄとカレンダ本体１の上端部とがワイヤ１６で結束され、裏紙部７ａが接着剤９によりカレンダ本体１の上端部裏面に接着されてなる構成を採用するものである。
【０００８】
請求項２に記載の考案は、請求項１に記載の考案において、前記カレンダ本体１の上端面１ａと紙製バインダ７の連結紙部７ｃとの間に紐通し穴１０が形成され、その紐通し穴１０に吊り紐２が挿通されてなる構成を採用するものである。
【考案の効果】
【０００９】
請求項１に記載の考案によれば、バインダ７の厚さｔがカレンダ本体１の厚さよりもわずかに上回る程度であるから、バインダ７を芯にして巻き取った紙片１Ａの半径ｒが小さくなり、その半径ｒと巻き取った紙片１Ａの重みによる引張力ｆとの積である回転モーメントＭも小さくなる。従って、例えば吊り紐２に指部が接触してカレンダ本体１に振動が加わるなどして、壁面４からカレンダ本体１が離れてその両者１，４間の摩擦抵抗が小さくなっても、回転モーメントＭによりバインダ７が半径ｒの中心点回りで引っ繰り返ることがなく、外観上の体裁を良好に維持することができる。
【００１０】
また、使用済みのカレンダを処分する場合、バインダ７がカレンダ本体１と同じ紙で形成されており、従来のようにバインダ７とカレンダ本体１とを分別回収のために分離する必要がなく、しかも、ワイヤ１６が小さくて簡単に分離可能であるから、前記バインダ７及びカレンダ本体１をそのまま紙資源として再利用したり焼却処分することができ、エコロジーに適している。
【００１１】
更に、ワイヤ１６が細いから、該ワイヤ１６により結束される重合紙部７ｄの縦幅を小さくでき、それに伴って、バインダ７の縦幅ｋ（図２参照）も小さくすることができるから、そのバインダ７が目立たなくなって、外観上の体裁を一層良好に保持することができる。
【００１２】
請求項２によれば、カレンダ本体１の上端面１ａとバインダ７の連結紙部７ｃとの間に大きな隙間が生じると、従来では不良品であるとして廃棄処分されていたが、その技術常識を見直して、本考案では、前記隙間を積極的に大きくして紐通し穴１０を形成し、その紐通し穴１０に吊り紐２を挿入した後、該吊り紐２の両端を結び付けるようにしたものであって、従来のように吊り紐２の両端を紙片１Ａ間に差し込んで糊付けする場合に比べて、糊付け作業が不要であるから、その不要になった分だけコストダウンを図って作業能率を向上させることができる。
【考案を実施するための最良の形態】
【００１３】
図１及び図２は本考案のカレンダを示すものであって、カレンダ本体１の上端部が厚手紙からなる紙製バインダ７で結束されており、該バインダ７は、カレンダ本体１の裏面に対向する裏紙部７ａと、該カレンダ本体１の表面に対向する表紙部７ｂと、その表裏両紙部７ａ，７ｂどうしを一体連結する連結紙部７ｃと、表紙部に一体延長されて該表紙部の裏面側に折り重ねた重合紙部７ｄとにより側面視略コ字状に形成され、重合紙部７ｄとカレンダ本体１の上端部とがワイヤ１６で結束され、裏紙部７ａが接着剤９〔図３（ｂ）参照〕によりカレンダ本体１の上端部裏面に接着され、カレンダ本体１の上端面１ａを紙製バインダ７の連結紙部７ｃから離間させることにより、その両者１ａ，７ｃ間に例えば２〜３ｍｍ程度の間隔ｈの比較的大きい口径の紐通し穴１０が形成され、その紐通し穴１０に吊り紐２が挿通されている。なお、図２中、１１はバインダ７及びカレンダ本体１を貫通する吊り穴、１３はミシン目である。上記以外の構成で図６〜図９に示す構成と同一部分に同一符号を付してその説明を省略する。
【００１４】
カレンダの製作手順を説明すると、図３（ａ）に示すように、複数の紙片１Ａを束ねてその上端面１ａを糊付けしてなるカレンダ本体１の上端部に対してミシン目１３を形成し、図３（ｂ）に示すように、裏紙部７ａに接着剤９を塗布したバインダ７を略Ｌ字状に折り曲げて、重合紙部７ｄをカレンダ本体１の上端部表面に当接させ、ステッチャ（図示せず）によりワイヤ１６で重合紙部７ｄとカレンダ本体１とを結束し、図３（ｃ）に示すように、バインダ７を略コ字状に折り曲げて、裏紙部７ａを接着剤９でカレンダ本体１の上端部裏面に接着する。
【００１５】
ここで重要なことは、従来であれば、連結紙部７ｃをカレンダ本体１の上端面１ａに当接または接近させることにより、その両者１ａ，７ｃ間に大きな隙間が生じないようにしていたが、本考案者は、その技術常識を見直して、連結紙部７ｃとカレンダ本体１の上端面１ａとの間に２〜３ｍｍ程度の間隔ｈが生じるように設定している。
【００１６】
次に、図３（ｄ）に示すように、バインダ７及びカレンダ本体１を貫通する吊り穴１１を形成し、針金状挿通具（図示せず）により吊り紐２を紐通し穴１０に挿通し、該吊り紐２の両端を結んで、その結び目２ａを紐通し穴１０内に隠せばよい〔図２（ａ）参照〕。
【００１７】
使用手順を説明すると、図１及び図４（ａ）に示すように、壁面４に取り付けたフック５に吊り紐２を引っ掛けることにより、カレンダ本体１を壁面４に沿って吊り下げ、紙片１Ａを１枚ずつ引き上げてバインダ７を芯にして後側に巻き取り吊り紐２の間を通ってカレンダ本体１と壁面４との間に差し込む〔図４（ｂ）参照〕。
【００１８】
この場合、図５に示すように、バインダ７の厚さｔがカレンダ本体１の厚さよりもわずかに上回る程度であるから、バインダ７を芯にして巻き取った紙片１Ａの半径ｒが小さくなり、その半径ｒと巻き取った紙片１Ａの重みによる引張力ｆとの積である回転モーメントＭも小さくなる。従って、例えば吊り紐２に指部が接触してカレンダ本体１に振動が加わるなどして、壁面４からカレンダ本体１が離れてその両者１，４間の摩擦抵抗が小さくなっても、回転モーメントＭによりバインダ７が半径ｒの中心点回りで引っ繰り返ることがなく、外観上の体裁を良好に維持することができる。
【００１９】
また、使用済みのカレンダを処分する場合、バインダ７がカレンダ本体１と同じ紙で形成されており、従来のようにバインダ７とカレンダ本体１とを分別回収のために分離する必要がなく、しかも、ワイヤ１６が小さくて簡単に分離可能であるから、前記バインダ７及びカレンダ本体１をそのまま紙資源として再利用したり焼却処分することができ、エコロジーに適している。
【００２０】
更に、ワイヤ１６が細いことから、該ワイヤ１６により結束される重合紙部７ｄの縦幅を小さくでき、それに伴って、バインダ７の縦幅ｋ〔図２（ａ）参照〕も例えば４〜６ｍｍ程度に小さくすることができるから、そのバインダ７が目立たなくなって、外観上の体裁を一層良好に保持することができる。
【００２１】
また更に、カレンダ本体１の上端面１ａとバインダ７の連結紙部７ｃとの間に大きな隙間が生じると、従来では不良品であるとして廃棄処分されていたが、その技術常識を見直して、本考案では、前記隙間を積極的に大きくして紐通し穴１０を形成し、その紐通し穴１０に吊り紐２を挿入した後、該吊り紐２の両端を結び付けるようにしたものであって、特に、従来のように吊り紐２の両端を紙片１Ａ間に差し込んで糊付けする場合に比べて、糊付け作業が不要であるから、その不要になった分だけコストダウンを図って作業能率を向上させることができる。
【図面の簡単な説明】
【００２２】
【図１】本考案の実施の一形態であるカレンダの吊下げ状態を示す斜視図である。
【図２】（ａ）は同要部の正面図、（ｂ）はＡ−Ａ矢視図、（ｃ）はＢ−Ｂ矢視図である。
【図３】（ａ）〜（ｄ）はカレンダの製作手順を示す斜視図である。
【図４】（ａ）及び（ｂ）はカレンダの使用手順を示す側面図である。
【図５】同使用時の力関係を示す要部の拡大側面図である。
【図６】従来例を示す斜視図である。
【図７】同拡大側面図である。
【図８】（ａ）〜（ｃ）はカレンダの使用手順を示す側面図である。
【図９】同使用時の力関係を示す要部の拡大側面図である。
【符号の説明】
【００２３】
１        カレンダ本体
１Ａ      カレンダ本体の紙片
２        吊り紐
３        金属製バインダ
７        紙製バインダ
７ａ      裏紙部
７ｂ      表紙部
７ｃ      連結紙部
７ｄ      重合紙部
９        接着剤
１０      紐通し穴
１６      ワイヤ
【図１】
0003110477.tif 000003
【図２】
0003110477.tif 000004
【図３】
0003110477.tif 000005
【図４】
0003110477.tif 000006
【図５】
0003110477.tif 000007
【図６】
0003110477.tif 000008
【図７】
0003110477.tif 000009
【図８】
0003110477.tif 000010
【図９】
0003110477.tif 000011